(57)【要約】  本発明は、ユーザ端末機におけるデバイス内部相互干渉をハンドリングする方法及び装置を提供する。  一実施形態で、ユーザ端末機に含まれているＬＴＥモジュールの非活性化時間周期（inactive time period）の間に遂行されるようにスケジューリングされたロングタームエボリューション（longer evolution:ＬＴＥ）アクティビティ（activity）が決定される。ＬＴＥモジュールが該当非活性化時間周期の間にＬＴＥアクティビティを遂行することが許可されるか否かが決定される。ＬＴＥアクティビティが許可される場合、ＬＴＥモジュールは、該当非活性化時間周期の間にＬＴＥアクティビティを遂行するように許可される。これとは異なり、ＬＴＥモジュールが該当非活性化時間周期の間にＬＴＥアクティビティを遂行することが許可されないようにすることによって該当ユーザ端末機に含まれているＩＳＭモジュールに対する非干渉時間（interference free time）を提供するようにする。また、該当許可されないＬＴＥアクティビティは、該当非活性化時間周期の次の活性化時間周期の間に遂行されるようにスケジューリングされる。
2013544049.tif 000002
【特許請求の範囲】
【請求項１】
ユーザ端末機におけるデバイス内部相互干渉をハンドリングする方法であって、
ユーザ端末機に含まれているＬＴＥモジュールの非活性化時間周期の間に遂行されるようにスケジューリングされた少なくとも一つのＬＴＥアクティビティ（activity）を決定するステップと、
前記少なくとも一つのＬＴＥモジュールが前記非活性化時間周期の間に前記ＬＴＥアクティビティを遂行するように許可されるか否かを決定するステップと、
前記少なくとも一つのＬＴＥモジュールが前記非活性化時間周期の間に前記ＬＴＥアクティビティを遂行するように許可される場合、前記ＬＴＥモジュールが前記非活性化時間周期の間に前記少なくとも一つのＬＴＥアクティビティを遂行するように許可するステップと、
前記少なくとも一つのＬＴＥモジュールが前記非活性化時間周期の間に前記ＬＴＥアクティビティを遂行するように許可されない場合、前記ＬＴＥモジュールが前記非活性化時間周期の間に前記少なくとも一つのＬＴＥアクティビティを遂行することを許可しないことによって、前記ユーザ端末機に含まれているＩＳＭモジュールに対する非干渉時間（interference free time）を提供するようにするステップと、を含むことを特徴とする方法。
【請求項２】
前記ユーザ端末機に含まれているＬＴＥモジュールとＩＳＭモジュールとの間のデバイス内部相互干渉を検出するステップと、
前記ＬＴＥモジュールが前記ユーザ端末機で前記デバイス内部相互干渉の存在をｅＮＢに報告し、前記デバイス内部相互干渉を緩和させる一つあるいはその以上の手順を遂行する場合、前記ＩＳＭモジュールがＩＳＭアクティビティを実行することを許可しないステップと、をさらに含むことを特徴とする請求項１に記載の方法。
【請求項３】
前記少なくとも一つのＬＴＥアクティビティは、ランダムアクセスチャンネル（ＲＡＣＨ）手順と、スケジューリング要求（ＳＲ）手順と、チャンネル品質指示（ＣＱＩ）報告送信と、サウンディング基準信号（ＳＲＳ）送信と、ハイブリッド自動反復要求（ＨＡＲＱ）ＡＣＫ／ＮＡＣＫ送信で構成される前記グループから選択されることを特徴とする請求項１に記載の方法。
【請求項４】
前記ユーザ端末機に含まれているＬＴＥモジュールの非活性化時間周期の間に遂行されるようにスケジューリングされた少なくとも一つのＬＴＥアクティビティを決定するステップは、
前記ＬＴＥモジュールとＩＳＭモジュールとの間のデバイス内部相互干渉が検出される場合、前記ＬＴＥモジュールの非活性化時間周期の間にＬＴＥ活動アクティビティが進行中であるか否かを決定するステップを含むことを特徴とする請求項１に記載の方法。
【請求項５】
前記少なくとも一つのＬＴＥモジュールが前記非活性化時間周期の間に前記ＬＴＥアクティビティを遂行するように許可されるか否かを決定するステップは、
前記非活性化時間周期の間にスケジューリングされる前記少なくとも一つのＬＴＥアクティビティと関連する優先順位を決定するステップと、
前記少なくとも一つのＬＴＥアクティビティの優先順位に基づいて前記非活性化時間周期の間に前記少なくとも一つのＬＴＥモジュールが前記ＬＴＥアクティビティを遂行することが許可されるか否かを決定するステップと、を含むことを特徴とする請求項１に記載の方法。
【請求項６】
前記ＬＴＥモジュールが前記非活性化時間周期の間に前記少なくとも一つのＬＴＥアクティビティを遂行するように許可するステップは、
前記少なくとも一つのＬＴＥアクティビティが前記ＬＴＥモジュールに非干渉時間（interference free time）を提供する前記非活性化時間周期の間に遂行される場合、前記ＩＳＭモジュールがＩＳＭアクティビティを遂行することを許可しないステップを含むことを特徴とする請求項１に記載の方法。
【請求項７】
前記ユーザ端末機に含まれているＩＳＭモジュールに対する非干渉時間を提供するために前記ＬＴＥモジュールが前記非活性化時間周期の間に前記少なくとも一つのＬＴＥアクティビティを遂行するように許可しないステップは、
前記少なくとも一つのＬＴＥアクティビティが前記非活性化時間区間の間に遂行される場合、前記ＩＳＭモジュールが前記ＬＴＥモジュールの残りの非活性化時間周期の間に前記ＩＳＭアクティビティを遂行することを許可するステップをさらに含むことを特徴とする請求項６に記載の方法。
【請求項８】
前記非活性化時間周期の次の活性化時間周期の間に前記少なくとも一つの許可されないＬＴＥアクティビティをスケジューリングするステップをさらに含むことを特徴とする請求項１に記載の方法。
【請求項９】
前記非活性化時間周期の次の活性化時間周期の間に進化した基地局から前記少なくとも一つのＬＴＥアクティビティに対する応答を受信するステップをさらに含むことを特徴とする請求項１に記載の方法。
【請求項１０】
前記ＬＴＥモジュールが前記非活性化時間周期の間に前記少なくとも一つのＬＴＥアクティビティを遂行することを許可しないステップは、
前記ＬＴＥモジュールが前記非活性化時間周期の間にＳＲとＲＡＣＨ手順の中、少なくとも一つの開始を遅延することを許可するステップを含むことを特徴とする請求項３に記載の方法。
【請求項１１】
前記ＬＴＥモジュールが前記非活性化時間周期の間に前記少なくとも一つのＬＴＥアクティビティを遂行するように許可するステップは、
前記ＬＴＥモジュールが活性化時間周期から前記非活性化時間周期に遷移する間、前記ＬＴＥモジュールが進行中であるＲＡＣＨあるいはＳＲ手順を持続することを許可するステップを含み、
前記ＲＡＣＨあるいはＳＲ手順は、前記活性化時間周期の間に開始されることを特徴とする請求項３に記載の方法。
【請求項１２】
前記ＬＴＥモジュールが活性化時間周期から前記非活性化時間周期に遷移する間に、前記ＬＴＥモジュールが進行中であるＲＡＣＨあるいはＳＲ手順を持続することを許可するステップは、
衝突解決タイマ（contention resolution timer）が満了するまで前記ＬＴＥモジュールが前記非活性化時間区間の間に前記進行中であるＲＡＣＨ手順を持続することを許可するステップを含むことを特徴とする請求項１１に記載の方法。
【請求項１３】
前記非活性化時間周期の間に前記ＬＴＥモジュールが前記少なくとも一つのＬＴＥアクティビティを遂行することを許可しないステップは、
前記ＬＴＥモジュールが前記非活性化時間周期の間に進行中であるＲＡＣＨ手順を持続することを許可しないステップと、
前記進行中であるＲＡＣＨ手順と関連する衝突解決タイマを前記非活性化時間周期でスケーリング（scaling）するステップと、
前記非活性化時間区間の次の活性化時間区間の間に前記進行中であるＲＡＣＨ手順を持続することを許諾して前記進行中であるＲＡＣＨ手順が前記衝突解決タイマの満了前に完了するようにするステップと、を含み、
前記進行中であるＲＡＣＨ手順は、前記以前の活性化時間区間の間に開始されることを特徴とする請求項３に記載の方法。
【請求項１４】
前記ＬＴＥモジュールが前記非活性化時間周期の間に前記少なくとも一つのＬＴＥアクティビティを遂行することを許諾するステップは、
前記非活性化時間周期に存在するＣＱＩ測定と関連する基準サブフレーム（reference subframe）を有効基準サブフレームとして考慮するステップと、
前記基準サブフレームに基づいてＣＱＩ測定を遂行するステップと、
前記非活性化時間区間の間に前記ＣＱＩ測定と関連するＣＱＩ報告を進歩した基地局に送信するステップと、を含むことを特徴とする請求項３に記載の方法。
【請求項１５】
前記ＬＴＥモジュールが前記非活性化時間周期の間に前記少なくとも一つのＬＴＥアクティビティを遂行することを許可するステップは、
前記非活性化時間周期に存在するＣＱＩ測定と関連する基準サブフレームを有効でない基準サブフレームとして考慮し、ＣＱＩ測定と関連するＣＱＩ報告が前記非活性化時間周期の間に送信されないようにするステップを含むことを特徴とする請求項３に記載の方法。
【請求項１６】
前記ＬＴＥモジュールが前記非活性化時間周期の間に前記少なくとも一つのＬＴＥアクティビティを遂行することを許可するステップは、
前記非活性化時間周期の間に前記ＬＴＥモジュールがＣＱＩ測定と関連するＣＱＩ報告を進化した基地局に送信することを許可するステップを含むことを特徴とする請求項３に記載の方法。
【請求項１７】
前記非活性化時間周期の間に前記ＬＴＥモジュールが前記少なくとも一つのＬＴＥアクティビティを遂行することを許可しないステップは、
前記ＬＴＥモジュールが前記非活性化時間周期から活性化時間周期に進入する場合、前記ＬＴＥモジュールが進化した基地局にＣＱＩ報告及びＳＲＳを送信することを可能にするステップを含むことを特徴とする請求項３に記載の方法。
【請求項１８】
前記ＬＴＥモジュールが前記非活性化時間周期の間に前記少なくとも一つのＬＴＥアクティビティを遂行するように許可するステップは、
前記非活性化時間周期の間にｅＮＢに少なくとも一つのＨＡＲＱ ＡＣＫ／ＮＡＣＫメッセージを送信するステップを含むことを特徴とする請求項３に記載の方法。
【請求項１９】
前記ＬＴＥモジュールが前記非活性化時間周期の間に前記少なくとも一つのＬＴＥアクティビティを遂行するように許可するステップは、
前記活性化時間周期から非活性化時間周期に進入する前記ＬＴＥモジュールによってダウンリンク（ＤＬ）ＨＡＲＱフィードバックが前記ｅＮＢから受信されない場合、アップリンク（ＵＬ）データ送信／再送信と関連するＤＬ ＨＡＲＱフィードバックを肯定的認知（positive acknowledgment）として考慮するステップと、
前記ＬＴＥモジュールが前記非活性化時間周期の次の活性化時間周期に進入する場合、前記ＵＬデータを再送信する適応的再送信（adaptive re-transmission）手順を許可するステップと、を含むことを特徴とする請求項１８に記載の方法。
【請求項２０】
前記ＬＴＥモジュールが前記非活性化時間周期の間に前記少なくとも一つのＬＴＥアクティビティを遂行するように許可するステップは、
前記活性化時間周期から非活性化時間周期に進入する前記ＬＴＥモジュールによってＤＬ ＨＡＲＱフィードバックが前記ｅＮＢから受信されない場合、ＵＬデータ送信／再送信と関連するＤＬ ＨＡＲＱフィードバックを否定的認知（negative acknowledgment）として考慮するステップと、
前記ＬＴＥモジュールが前記非活性化時間周期の次の活性化時間周期に進入する場合、非適応的再送信（non-adaptive re-transmission）と前記ＵＬデータを再送信する適応的再送信（adaptive re-transmission）手順のうち一つを許可するステップと、を含むことを特徴とする請求項１８に記載の方法。
【請求項２１】
装置であって、
プロセッサと、
前記プロセッサに連結されるメモリと、を含み、
前記メモリは、
ＬＴＥモジュールの非活性化時間周期の間に遂行されるようにスケジューリングされた少なくとも一つのＬＴＥアクティビティ（activity）を決定し、
前記少なくとも一つのＬＴＥモジュールが前記非活性化時間周期の間に前記ＬＴＥアクティビティを遂行するように許可されるか否かを決定し、
前記少なくとも一つのＬＴＥモジュールが前記非活性化時間周期の間に前記ＬＴＥを遂行するように許可される場合、前記ＬＴＥモジュールが前記非活性化時間周期の間に前記少なくとも一つのＬＴＥアクティビティを遂行するように許可し、
前記少なくとも一つのＬＴＥモジュールが前記非活性化時間周期の間に前記ＬＴＥアクティビティを遂行するように許可されない場合、前記ＬＴＥモジュールが前記非活性化時間周期の間に前記少なくとも一つのＬＴＥアクティビティを遂行することを許可しないことによって、前記ユーザ端末機に含まれているＩＳＭモジュールに対する非干渉時間（interference free time）を提供するように構成される干渉管理モジュールを含むことを特徴とする装置。
【請求項２２】
前記少なくとも一つのＬＴＥアクティビティは、ランダムアクセスチャンネル送信と、スケジューリング要求送信と、チャンネル品質指示報告送信と、ＳＲＳ送信と、ＡＣＫ／ＮＡＣＫ送信で構成される前記グループから選択されることを特徴とする請求項２１に記載の装置。
【請求項２３】
前記干渉管理モジュールは、前記ＬＴＥモジュールとＩＳＭモジュールとの間のデバイス内部相互干渉が検出される場合、前記ＬＴＥモジュールの非活性化時間周期の間に少なくとも一つのＬＴＥアクティビティが進行中であるか否かを決定するように構成されることを特徴とする請求項２１に記載の装置。
【請求項２４】
前記干渉管理モジュールは、前記少なくとも一つのＬＴＥアクティビティの優先順位に基づいて前記非活性化時間周期の間に前記少なくとも一つのＬＴＥモジュールが前記ＬＴＥアクティビティを遂行することが許可されるか否かを決定するように構成されることを特徴とする請求項２１に記載の装置。
【請求項２５】
前記干渉管理モジュールは、前記少なくとも一つのＬＴＥアクティビティが前記ＬＴＥモジュールに非干渉時間を提供する前記非活性化時間周期の間に遂行される場合、前記ＩＳＭモジュールがＩＳＭアクティビティを遂行することを許可しないように構成されることを特徴とする請求項２１に記載の装置。
【請求項２６】
前記干渉管理モジュールは、前記少なくとも一つのＬＴＥアクティビティが前記非活性化時間区間の間に遂行される場合、前記ＩＳＭモジュールが前記ＬＴＥモジュールの残りの非活性化時間周期の間に前記ＩＳＭアクティビティを遂行することを許可するように構成されることを特徴とする請求項２１に記載の装置。
【請求項２７】
前記干渉管理モジュールは、前記非活性化時間周期の次の活性化時間周期の間に前記少なくとも一つの許可されないＬＴＥアクティビティをスケジューリングするように構成されることを特徴とする請求項２１に記載の装置。
【請求項２８】
デバイス（device）であって、
ＬＴＥモジュールと、
ＩＳＭモジュールと、
前記ＬＴＥモジュール及びＩＳＭモジュールに連結するコーディネータ（coordinator）と、を含み、
前記コーディネータは、ＬＴＥモジュールの非活性化時間周期の間に遂行されるようにスケジューリングされた少なくとも一つのＬＴＥアクティビティ（activity）を決定し、
前記少なくとも一つのＬＴＥモジュールが前記非活性化時間周期の間に前記ＬＴＥアクティビティを遂行するように許可されるか否かを決定し、
前記少なくとも一つのＬＴＥモジュールが前記非活性化時間周期の間に前記ＬＴＥを遂行するように許可される場合、前記ＬＴＥモジュールが前記非活性化時間周期の間に前記少なくとも一つのＬＴＥアクティビティを遂行するように許可し、
前記少なくとも一つのＬＴＥモジュールが前記非活性化時間周期の間に前記ＬＴＥアクティビティを遂行するように許可されない場合、前記ＬＴＥモジュールが前記非活性化時間周期の間に前記少なくとも一つのＬＴＥアクティビティを遂行することを許可しなく、前記ユーザ端末機に含まれているＩＳＭモジュールに対する非干渉時間（interference free time）を提供するように構成されることを特徴とするデバイス。
【請求項２９】
前記少なくとも一つのＬＴＥアクティビティは、ランダムアクセスチャンネル送信と、スケジューリング要求送信と、チャンネル品質指示報告送信と、ＳＲＳ送信と、ＡＣＫ／ＮＡＣＫ送信で構成される前記グループから選択されることを特徴とする請求項２８に記載のデバイス。
【請求項３０】
前記コーディネータは、前記ＬＴＥモジュールとＩＳＭモジュールとの間のデバイス内部相互干渉が検出される場合、前記ＬＴＥモジュールの非活性化時間周期の間に少なくとも一つのＬＴＥアクティビティが進行中であるか否かを決定するように構成されることを特徴とする請求項２８に記載のデバイス。
【請求項３１】
前記コーディネータは、前記少なくとも一つのＬＴＥアクティビティの優先順位に基づいて前記非活性化時間周期の間に前記少なくとも一つのＬＴＥモジュールが前記ＬＴＥアクティビティを遂行することが許可されるか否かを決定するように構成されることを特徴とする請求項２８に記載のデバイス。
【請求項３２】
前記コーディネータは、前記少なくとも一つのＬＴＥアクティビティが前記ＬＴＥモジュールに非干渉時間を提供する前記非活性化時間周期の間に遂行される場合、前記ＩＳＭモジュールがＩＳＭアクティビティを遂行することを許可しないように構成されることを特徴とする請求項２８に記載のデバイス。
【請求項３３】
前記コーディネータは、前記少なくとも一つのＬＴＥアクティビティが遂行される場合、前記ＩＳＭモジュールが前記ＬＴＥモジュールの残りの非活性化時間周期の間に前記ＩＳＭアクティビティを遂行することを許可するように構成されることを特徴とする請求項２８に記載のデバイス。
【請求項３４】
前記コーディネータは、前記非活性化時間周期の次の活性化時間周期の間に前記少なくとも一つの許可されないＬＴＥアクティビティをスケジューリングするように構成されることを特徴とする請求項２８に記載のデバイス。
【請求項３５】
ユーザ端末機に含まれているＬＴＥモジュールとブルートゥースモジュールとの間のデバイス内部相互干渉をハンドリングする方法であって、
進化した基地局（ｅＮＢ）からＬＴＥモジュールのアクティビティ（activity）をスケジューリングするための半永続スケジューリング（semi-persistent scheduling:ＳＰＳ）パターンを受信するステップと、
前記ＳＰＳパターンに基づいて前記ブルートゥースモジュールのアクティビティを前記ＬＴＥモジュールのアクティビティに合せて調整するステップと、
前記ＳＰＳパターン別に前記ｅＮＢと前記ユーザ端末機との間の前記ＬＴＥモジュールと関連するアップリンク及びダウンリンク送信／受信を遂行して前記ブルートゥースモジュールに非干渉時間（interference free time）を提供するステップと、を含むことを特徴とする方法。
【請求項３６】
前記ｅＮＢと前記ユーザ端末機との間の前記ＬＴＥモジュールと関連するアップリンク及びダウンリンク送信／受信を遂行するステップは、
前記ＬＴＥモジュールと前記ブルートゥースモジュールとの間の相互パターン（co-existence pattern）無しで前記ｅＮＢと前記ユーザ端末機との間の前記ＬＴＥモジュールと関連するアップリンク及びダウンリンク送信／受信を遂行するステップを含むことを特徴とする請求項３５に記載の方法。
【請求項３７】
前記ｅＮＢから前記ＬＴＥモジュールと関連するハイブリッド自動反復要求（ＨＡＲＱ）プロセスの予め定義されている再送信情報を受信するステップと、
前記ＳＰＳパターンによる最小一つの新しい送信と前記予め定義されている再送信情報による前記ＨＡＲＱプロセスの一つの再送信をスケジューリングして前記ブルートゥースモジュールに非干渉時間を提供するステップと、をさらに含むことを特徴とする請求項３５に記載の方法。
【発明の詳細な説明】
【技術分野】
【０００１】
本発明は、無線通信システム技術分野に関し、特にユーザ端末機におけるデバイス内部相互干渉をハンドリングすることに関する。
【背景技術】
【０００２】
工業用、科学用、医療用（industrial、scientific and medical:ＩＳＭ） 帯域 （ブルートゥース（登録商標）、Ｗｉ−Ｆｉなどのような） 技術を使用するロングタームエボリューション（Long Term Evolution:ＬＴＥ）とグローバルナビゲーション衛星システム（Global Navigation Satellite Systems:ＧＮＳＳ）の共存は、ＬＴＥとＧＮＳＳが移動電話機のようなユーザ端末機（user equipment:ＵＥ）で非常に一般的な結合がなされることにより提供される必要性がある。このような技術の各々は、特定目的をサービスするために相互に異なるグループにより開発されている。このような技術の特性は、それぞれ異なる。この技術は、異なる周波数で動作し、異なるアクセスメカニズムを有し、異なるフレーム構造及びピーク送信電力（peak transmit power）を有する。
【０００３】
このようなすべての技術は、隣接帯域（小さな区分（small separation）、例えば、＜２０ＭＨｚ）で同時に動作し、一般的に５０ｄＢアイソルレーションが要求される。しかしながら、ＵＥの小さなフォームファクタは、１０〜３０ｄＢアイソルレーションのみを提供する。その結果、ある無線通信装置（radio）の送信器は、他の無線通信装置の受信器に深刻な影響を及ぼす。例えば、ＵＥの小さなフォームファクタは、ＩＳＭ技術の送信からＬＴＥあるいはＷｉＭａｘ（Worldwide Interoperability for Microwave Access）のようなセルラー技術の受信器への干渉の大きい競合（challenge）をもたらす。同様に、セルラー技術の送信器は、ＩＳＭ受信器に対する深刻な干渉をもたらす可能性がある。デバイス内部相互干渉問題の主な原因は、電力増幅器とアナログ−デジタル変換器の制限された動的範囲による受信器ブロッキング（blocking）と、不完全なフィルタリング（filtering）による帯域外放出（out of band emission）となり得る。
【発明の概要】
【発明が解決しようとする課題】
【０００４】
ブルートゥースとＬＴＥの共存
ＬＴＥ帯域７ＵＬとブルートゥース帯域は、２０ＭＨｚ周波数帯域単位で区分される。この帯域７は、周波数分割デュプレックス（Frequency Division Duplexing:ＦＤＤ）帯域であり、したがってＬＴＥ受信器は、ブルートゥース送信器により影響を受けず、これに対してＬＴＥ送信器は、ブルートゥース受信器に影響を与えることができる。また、ＬＴＥ帯域４０（時分割デュプレックス（Time Division Duplexing:ＴＤＤ）帯域）と該当ブルートゥース周波数帯域との間の２ＭＨｚの非常に小さな区分が存在する。したがって、共存する場合、ＬＴＥ帯域４０の上位部分を使用して中断させることは不可能である。図１ＡはＬＴＥとブルートゥースチャンネルとの間の区分を示す概略的なダイアグラムである。
【０００５】
Ｗｉ−Ｆｉ（Wireless Fidelity）とＬＴＥの共存
Ｗｉ−Ｆｉ動作のためのＩＳＭ帯域内で区分される１４個のチャンネルが存在する。各チャンネルは、１２ＭＨｚ単位で区分されるチャンネル番号１４を除いては５ＭＨｚ単位で他のチャンネルと区分される。チャンネル１は２４０１ＭＨｚで始まり、したがってＬＴＥ帯域４０とＷｉ−Ｆｉとの間にはほぼ区分が存在しない。Ｗｉ−Ｆｉのチャンネル１４は２４９５ＭＨｚで終了し、したがって理論上には、ＬＴＥ帯域７とＷｉ−Ｆｉとの間には５ＭＨｚ区分のみが有用である。各国は、Ｗｉ−Ｆｉの許可チャンネルの個数に対して異なる政策を有する。現在は、多くの国家がチャンネル１乃至チャンネル１３のみを許可しており、これに対して、日本は、ＩＥＥＥ８０２.１１ｂ基盤の通信に対してのみチャンネル番号１４の使用を許可している。これは、Ｗｉ−ＦｉとＬＴＥ帯域７との間には理論的には５ＭＨｚの区分のみが有用であっても、実際には少なくとも１７ＭＨｚが有用であることを示す。図１Ｂは、ＬＴＥとＷｉ−Ｆｉチャンネルとの間の区分を示す概略的なダイアグラムを示す図である。
【０００６】
一般的に、時分割多重化（ＴＤＭ）ドメインで、スケジューリングギャップパターン（scheduling gap pattern）は、進化した基地局（evolved Node B:ｅＮＢ）及びＵＥとの間に通信される。スケジューリングギャップパターンは、活性化時間周期（active time period）（ＬＴＥ ＯＮ周期）と非活性化時間周期（inactive time period）（ＬＴＥ ＯＦＦ周期）で構成される。上記スケジューリングキャップパターンは、ＵＥでＤＲＸサイクルパラメータ（parameter）あるいはビットマップ（bitmap）と、減少されたハイブリッド自動反復要求（hybrid automatic repeat request:ＨＡＲＱ）プロセス及び測定ギャップ（measurement gap）として通信する。一般的に、ＵＥに含まれているＬＴＥモジュールは、該当スケジューリングパターンで表示される該当活性化時間周期の間にデータ送信を遂行するために構成され、したがって、ＩＳＭモジュールは、ＬＴＥモジュールの該当非活性化時間周期の間に動作することができる。また、ｅＮＢは、該当非活性化時間周期の間にＵＥにダウンリンク（ＤＬ）データ送信をスケジューリングしない。これは、ＬＴＥモジュールとＩＳＭモジュールとの間のデバイス内部相互干渉を解決することを助ける。一般的に、ＵＥはランダムアクセスチャンネル送信と、スケジューリング要求送信と、チャンネル品質指示報告送信と、ＨＡＲＱ ＡＣＫ／ＮＡＣＫ送信と、サウンディング基準信号（Sounding Reference Signals:ＳＲＳ）送信などのようなデータ送信と共に、他のアップリンクＬＴＥアクティビティ（activity）を遂行することができる。このようなＬＴＥアクティビティ／手順は、ＩＳＭモジュールの非干渉動作に対して予約された非活性化時間周期と同時に遂行されることができ、したがってＩＳＭモジュール動作に対する干渉をもたらす。
【０００７】
このようなすべての技術は、隣接帯域（小さな区分（small separation）、例えば、＜２０ＭＨｚ）で同時に動作し、一般的に５０デシベル[ｄＢ]アイソルレーション（isolation）が要求される。しかしながら、ＵＥの小さなフォームファクタは、１０〜３０ｄＢアイソルレーションだけを提供する。結果的に、１個の無線通信装置（radio）の送信器は、他の無線通信装置の受信器に深刻な影響を及ぼす。例えば、ＵＥの小さなフォームファクタは、ＩＳＭ技術の送信からＬＴＥあるいはＷｉＭａｘのようなセルラー技術の受信器への干渉の大きい競合（challenge）を提起することがある。同様に、セルラー技術の送信器は、ＩＳＭ受信器に対する深刻な干渉をもたらす可能性がある。デバイス内部相互干渉問題の主な原因は、電力増幅器とアナログデジタル変換器の制限された動的範囲による受信器ブロッキング（blocking）と、不完全なフィルタリング（filtering）による帯域外放出（out of band emission）となり得る。
【課題を解決するための手段】
【０００８】
本発明は、ユーザ端末機におけるデバイス内部相互干渉をハンドリングする方法及び装置を提供する。
【発明の効果】
【０００９】
本発明は、ユーザ端末機におけるデバイス内部相互干渉をハンドリングする方法及び装置を提供することによって、デバイス内部相互干渉を減少させる。
【図面の簡単な説明】
【００１０】
【図１Ａ】ＬＴＥ及びブルートゥースチャンネル間の区分を示す概略的なダイアグラムを示す図である。
【図１Ｂ】ＬＴＥ及びＷｉ−Ｆｉチャンネル間の区分を示す概略的なダイアグラムを示す図である。
【図２】一実施形態による、ユーザ端末機においてＬＴＥモジュールとＩＳＭモジュールとの間のデバイス内部相互干渉をハンドリングする無線通信システムのブロックダイアグラムを示す図である。
【図３】一実施形態による、ＬＴＥモジュールとＩＳＭモジュールとの間のデバイス内部相互干渉をハンドリングする望ましい方法を示すプロセスフローチャートを示す図である。
【図４】本発明の実施形態を具現する多様なコンポーネントを示すコーディネータのブロックダイアグラムを示す図である。
【図５】一実施形態による、ＬＴＥモジュールとブルートゥースモジュールとの間のデバイス内部相互干渉をハンドリングする望ましい方法を示すプロセスフローチャートを示す図である。
【図６】ＬＴＥモジュール動作及びブルートゥースモジュール動作に有用なスロットを示す時間ラインを示す概略図である。
【発明を実施するための形態】
【００１１】
明細書中で説明される図面は、説明の目的のために提供されるだけで、本発明の権利範囲を決して制限しないことに留意すべきである。
【００１２】
本発明は、ユーザ端末におけるデバイス内部相互干渉をハンドリングする方法及び装置を提供する。本発明の実施形態に関する下記の具体的な説明において、参照番号はその一部を構成し、本発明が実行できる具体的な実施形態を示すための方式として示される添付図面で使用することができる。本発明の実施形態は、本発明が属する技術分野における当業者に本発明が実行可能なように十分に具体的に説明される。また、本発明の具体的な説明は、特許請求の範囲を外れない限り、様々な変更が可能であることは、当該技術分野における通常の知識を有する者には明らかである。したがって、本発明の範囲は、前述の実施形態に限定されるものではなく、特許請求の範囲の記載及びこれと均等なものに基づいて定められるべきである。
【００１３】
図２は、一実施形態による、ユーザ端末機においてＬＴＥモジュールとＩＳＭモジュールとの間のデバイス内部相互干渉をハンドリングする無線通信システム２００のブロックダイアグラムを示す図である。図２で、無線通信システム２００は、無線ネットワーク（例えば、ＬＴＥネットワーク）２５２を介して接続される基地局（例えば、進化した基地局（ｅＮＢ）２５０とユーザ端末機（ＵＥ）２５１を含む。ＵＥ２５１は、ＬＴＥモジュール２０２と、ＩＳＭモジュール２０４及びコーディネータ（coordinator）２０６を含む。
【００１４】
本発明の一実施形態によれば、コーディネータ２０６は、ＬＴＥモジュール２０２とＩＳＭモジュール２０４との間のデバイス内部相互干渉をハンドリングするために構成される。コーディネータ２０６は、少なくとも２個の段階、１）基地局２５０及びＵＥ２５１が該当デバイス内部相互干渉を処理することに対する合意に到達しなかった場合、及び２）基地局２５０及びＵＥ２５１が該当デバイス内部相互干渉を処理することに対する合意に至った場合でデバイス内部相互干渉をハンドリングする。
【００１５】
最初の段階で、ＵＥ２５１は、デバイス内部相互干渉を検出し、該当デバイス内部相互干渉を基地局２５０に指示する。基地局２５０は、ＵＥ２５１がデバイス内部相互干渉を報告するように構成することができ、したがって、ＵＥ２５１は、デバイス内部相互干渉の存在に関して基地局２５０を報告する。基地局２５０は、ＵＥ２５１から該当デバイス内部相互干渉及びその関連手順を緩和させる構成を示す該当指示に対する応答を提供する。
【００１６】
ＵＥ２５１が該当関連手順を成功的に完了するようにするために、ＬＴＥモジュール２０２は、ＩＳＭモジュール２０４による該当干渉から保護されるはずである。したがって、コーディネータ２０６は、予め定義されている時間周期の間にＬＴＥモジュール２０２に対する非干渉時間を提供するために、ＩＳＭモジュール２０４の該当アクティビティを許可しない。例えば、コーディネータ２０６は、該当手順らが完了するまで、あるいは制限された時区間の間にＩＳＭモジュール２０４が送信及び／あるいは受信アクティビティを遂行することを許可しない。上記予め定義されている時間周期の間に、ＬＴＥモジュール２０２は、ＩＳＭモジュール２０４とＬＴＥモジュール２０２との間の該当デバイス内部相互干渉を基地局２５０に通信することができ、関連する手順を完了することができ、したがって、基地局２５０とＵＥ２５１は、該当デバイス内部相互干渉をハンドリングすることに対する協議に至るようになる。これとは異なり、ＩＳＭモジュール２０４の該当アクティビティは、ＬＴＥモジュール２０２の該当アクティビティと時間同期化されることができ、したがって、ＬＴＥモジュール２０２とＩＳＭモジュール２０４の両方は、非干渉方式で動作することが許可される。
【００１７】
ｅＮＢ２５０とＵＥ２５１が協議に到達した場合、ｅＮＢ２５０は、ＬＴＥ ＯＮ及びＯＦＦ周期を有するスケジューリングギャップパターン（scheduling gap pattern）をＵＥ２５１で通信し、ＬＴＥモジュール２０２とＩＳＭモジュール２０４が相互間に干渉を引き起こさなく独立的に動作するようにする。したがって、ＬＴＥモジュール２０２は、ＬＴＥ ＯＮ周期（以下、活性化時間周期（active time period）と称する）の間にデータ送／受信を遂行し、ＩＳＭモジュール２０４は、ＬＴＥ ＯＦＦ周期（以下、非活性化時間周期（inactive time period）と称する）の間にＩＳＭ動作を遂行する。このような場合、ＬＴＥモジュール２０２がＩＳＭモジュール２０４に干渉を引き起こす可能性、あるいはＩＳＭモジュール２０４により干渉される可能性は最小となる。しかしながら、デバイス内部相互干渉は、ＬＴＥモジュール２０２がＩＳＭアクティビティを遂行するために予約された該当非活性化時間周期の間にＬＴＥアクティビティを遂行する場合、ＵＥ２５１で発生することがある。ＬＴＥアクティビティは、ランダムアクセスチャンネル（ＲＡＣＨ）手順と、スケジューリング要求（ＳＲ）手順と、チャンネル品質情報（ＣＱＩ）報告送信と、サウンディング基準信号（ＳＲＳ）送信、及びハイブリッド自動反復要求（ＨＡＲＱ）ＡＣＫ／ＮＡＣＫ送信を含み得る。上記のような干渉をハンドリングするために、コーディネータ２０６は、ＬＴＥアクティビティが該当非活性化時間周期の間に遂行されるようにスケジューリングされているか、あるいは進行中であるかを決定するように構成される。
【００１８】
ＬＴＥアクティビティがスケジューリングされたか、あるいは進行中の場合、コーディネータ２０６は、ＬＴＥモジュール２０２がＬＴＥアクティビティと関連する優先順位に基づいて該当非活性化時間周期の間にＬＴＥアクティビティを遂行することを許可するか、あるいは許可しない。例えば、該当非活性化時間周期の間に、コーディネータ２０６は、ＬＴＥモジュール２０２が高い優先順位ＬＴＥアクティビティを遂行することを許可し、ＩＳＭモジュール２０４を非活性化させてＩＳＭモジュール２０４がＬＴＥモジュール２０２に対するどんな干渉も引き起こさないようにする。このような場合、コーディネータ２０６は、ＬＴＥアクティビティの完了時、残りの非活性化時間周期の間にＩＳＭアクティビティを遂行するＩＳＭモジュール２０４を活性化させる。これとは異なり、コーディネータ２０６は、ＬＴＥモジュール２０２が低い優先順位ＬＴＥアクティビティを遂行することを許可しなく、ＩＳＭモジュール２０４が該当非活性化時間周期の間にＩＳＭアクティビティを遂行することを許可する。コーディネータ２０６は、該当非活性化時間周期の次の活性化時間周期の間に、該当許可されないＬＴＥアクティビティをスケジューリングする。
【００１９】
図３は、一実施形態による、ＬＴＥモジュール２０２とＩＳＭモジュール２０４との間のデバイス内部相互干渉をハンドリングする望ましい方法を示すプロセスフローチャート（３００）を示す図である。ステップ３０２で、ＬＴＥモジュール２０２とＩＳＭモジュール２０４との間のデバイス内部相互干渉は、非活性化時間周期の間に検出される。該当デバイス内部相互干渉を検出する場合、デバイス内部相互干渉の存在は、ＵＥ２５１によりｅＮＢ２５０で通信され、ｅＮＢ２５０とＵＥ２５１の両方がＵＥ２５１で検出されたデバイス内部相互干渉をハンドリングすることに合意するようにする。一実施形態で、ＩＳＭモジュール２０４は、ＬＴＥモジュール２０２が該当デバイス内部相互干渉の存在を報告する間に、ＩＳＭアクティビティを遂行することを許可しなく、検出されたデバイス内部相互干渉を緩和させるように関連手順を遂行してこの時間周期の間にどんな干渉もＬＴＥモジュール２０２で引き起こさないようにする。
【００２０】
ステップ３０４で、該当非活性化時間周期の間にＬＴＥアクティビティがスケジューリングされるか、あるいは進行中であるかが決定される。ステップ３０６で、該当スケジューリングされた／進行中のＬＴＥアクティビティと関連する優先順位が決定される。ステップ３０８で、ＬＴＥモジュール２０２がＬＴＥアクティビティの優先順位に基づいて該当非活性化時間周期の間に該当スケジューリングされた／進行中のＬＴＥアクティビティを遂行することを許可するか否かが決定される。ＬＴＥアクティビティが高い優先順位を有している場合、ステップ３１０で、ＬＴＥモジュール２０２が該当非活性化時間周期の間にＬＴＥアクティビティを遂行することが許可される。ＩＳＭアクティビティが進行中の場合、ＩＳＭモジュール２０４は、非活性化され、したがって、ＩＳＭモジュール２０４は、ＬＴＥモジュール２０２に干渉を引き起こさないようになる。しかしながら、ＩＳＭモジュール２０４がＬＴＥアクティビティが完了する時に活性化されると、ＩＳＭモジュール２０４は、残りの非活性化時間周期の間にＩＳＭアクティビティを遂行できるようになる。
【００２１】
ＬＴＥアクティビティが低い優先順位を有している場合、ステップ３１２で、ＬＴＥモジュール２０２は、ＩＳＭモジュール２０４に非干渉時間を提供するために該当非活性化時間周期の間に、ＬＴＥアクティビティを遂行することが許可されない。したがって、該当非活性化時間周期の間に、ＩＳＭモジュール２０４は、ＩＳＭアクティビティを遂行することが許可される。ステップ３１４で、該当非活性化時間周期の間に許可されないＬＴＥアクティビティは、該当非活性化時間周期の次の活性化時間周期の間にスケジューリングされる。
【００２２】
上述した説明によれば、該当スケジューリングされた／進行中のＬＴＥアクティビティは、ＲＡＣＨ送信と、ＳＲ送信と、ＣＱＩ報告送信と、ＳＲＳ送信及びＨＡＲＱ ＡＣＫ／ＮＡＣＫ送信を含み得る。下記では、ＬＴＥアクティビティが非活性化時間周期の間にスケジューリングされるか、あるいは進行中の場合、多様な場合のシナリオを説明する。
【００２３】
例えば、ＬＴＥアクティビティが非活性化時間周期の間に発生するようにスケジューリングされるＲＡＣＨ送信あるいはＳＲ送信である場合を考慮する。一実施形態で、ＵＥ２５１は、ＳＲあるいはＲＡＣＨ送信が低い優先順位を有する場合、該当非活性化時間周期の間にＲＡＣＨあるいはＳＲ送信の開始を遅延させることを許可する。他の実施形態で、ＲＡＣＨあるいはＳＲ送信は、高い優先順位シグナルリングアクティビティと関連され、ＬＴＥモジュール２０２は、ＩＳＭモジュール２０４が該当する時間で一部ＩＳＭアクティビティを遂行することを所望しても該当非活性化時間周期の間にＲＡＣＨあるいはＳＲ手順を遂行することを許可する。ＬＴＥモジュール２０２がＲＡＣＨあるいはＳＲ手順を遂行する場合、ＩＳＭモジュール２０４は、該当する時間でＩＳＭアクティビティを避けるために非活性化される。また、ｅＮＢ２５０は、該当非活性化時間周期の間にＵＥ２５１から受信されるＲＡＣＨあるいはＳＲ要求を受諾する。ＵＥ２５１は現在実行中であるＤＲＸサイクル別に該当非活性化時間周期の次の活性化時間周期の間にＲＡＣＨに対する応答メッセージ、あるいはＳＲに対したＵＬグラント（grant）を受信する。ＲＡＣＨあるいはＳＲ手順が完了する場合、ｅＮＢ２５０とＵＥ２５１は、残りの非活性化時間周期を有効なＯＦＦ周期として考慮し、追加的なＬＴＥアクティビティを避ける。ＩＳＭモジュール２０４は、ＲＡＣＨあるいはＳＲ手順の完了時に活性化され、該当有効なＯＦＦ周期の間にＩＳＭアクティビティを遂行することが許可される。
【００２４】
ＬＴＥモジュール２０２が該当活性化時間周期から該当非活性化時間周期に遷移する間に、ＲＡＣＨあるいはＳＲ手順が進行中の場合、ＬＴＥモジュール２０２は、ＲＡＣＨあるいはＳＲ手順が完了するまでＲＡＣＨあるいはＳＲ手順を持続的に遂行することが許可される。完了の時、ＬＴＥモジュール２０２はＯＦＦ区間の残りの量の間に非活性化時間周期に遷移することができる。ＩＳＭモジュール２０４は、活性化され、残りの非活性化時間周期の間にＩＳＭアクティビティを遂行することが許可される。上述したようなＲＡＣＨ手順は、非衝突（contention free）あるいは衝突基盤（contention based）ＲＡＣＨ手順であり得る。ＲＡＣＨ手順が衝突基盤ＲＡＣＨ手順の場合、ＵＥ２５１及びｅＮＢ２５０は、該当非活性化時間周期が衝突解決タイマ（contention resolution timer）値とオーバーラップ（overlap）される場合でもＲＡＣＨ手順を持続的に遂行する。したがって、該当衝突解決タイマが該当非活性化時間周期の間に実行される場合、ＩＳＭモジュール２０４は、ＩＳＭアクティビティを遂行することが許可されない。これとは異なり、競争解決タイマ値は、該当非活性化時間周期にスケーリングされることができ、したがって、開始されたＲＡＣＨ手順の競争解決手順は、該当非活性化時間周期の次の活性化時間周期の間に遂行されることができ、したがって該当競争解決タイマがＬＴＥモジュール２０２の非活性化時間周期の間に満了しないことを保障するようにする。この場合、ＩＳＭモジュール２０４は、どんなＲＡＣＨ手順も該当する時間の間に遂行されない場合、該当非活性化時間周期の間にＩＳＭアクティビティを遂行することが許可される。
【００２５】
他の例で、ＬＴＥアクティビティがチャンネル品質情報（ＣＱＩ）報告送信、あるいはＳＲＳ送信である場合を考慮する。ＵＥ２５１がＣＱＩ測定を遂行する間、実際ＣＱＩ報告が発生されるサブフレームから以前のオフセットでのサブフレームが基準サブフレームとして考慮される。ＣＱＩ測定のための基準サブフレームがＬＴＥ ＯＦＦ周期に存在する場合、該当するサブフレームは、有効基準サブフレームとして考慮されなく、これによって該当するＣＱＩ報告は送信されない。これとは異なり、ＵＥ２５１がＬＴＥ ＯＦＦ周期に存在する基準サブフレームが有効基準サブフレームとして考慮される場合、ＵＥ２５１はＣＱＩ測定を遂行し、ＣＱＩ報告をｅＮＢ２５０に送信する。
【００２６】
一実施形態で、ＵＥ２５１は、ＬＴＥモジュール２０２が該当非活性化時間周期から活性化時間周期に遷移するとすぐに（すなわち、ＬＴＥモジュール２０２がＯＦＦ状態からターンオンされる場合）、ＣＱＩ報告送信あるいはサウンディング基準信号（ＳＲＳ）送信をトリガー（trigger）する。したがって、ＵＥ２５１は、ＣＱＩ報告あるいはＳＲＳの送信を遅延させることが許可される。他の実施形態で、ＵＥ２５１は、ＣＱＩ報告あるいはＳＲＳ送信が高い優先順位に基づいて遂行されなければならない場合でも、該当非活性化時間周期の間にＣＱＩ報告あるいはＳＲＳ送信を遂行する。ＵＥ２５１がＣＱＩ報告あるいはＳＲＳ送信を遂行する場合、ＩＳＭモジュール２０４は、該当する時間でＩＳＭアクティビティを避けるために非活性化される。また、ｅＮＢ２５０は、該当非活性化時間周期の間にＵＥ２５１から受信されるＣＱＩ報告あるいはＳＲＳ要求を受諾する。ＣＱＩあるいはＳＲＳ送信が完了する場合、ｅＮＢ２５０とＵＥ２５１は残りの非活性化時間周期を有効ＯＦＦ周期（すなわち、非活性化時間周期）として考慮する。これによって、ＩＳＭモジュール２０４は、ＣＱＩ報告あるいはＳＲＳ送信の完了時に活性化され、該当有効ＯＦＦ周期の間にＩＳＭアクティビティを遂行することが許可される。
【００２７】
もう一つの例で、ＬＴＥアクティビティがハイブリッド自動反復要求（ＨＡＲＱ）ＡＣＫ／ＮＡＣＫ送信の場合を考慮する。該当非活性化時間周期に進入する前に認知されるデータが存在する場合、ＵＥ２５１とｅＮＢ２５０は、該当非活性化時間周期の間にＨＡＲＱ ＡＣＫ／ＮＡＣＫ送信を遂行する。この時間の間、ＩＳＭモジュール２０４は、どんなＩＳＭアクティビティでも遂行することが許可されない。ユーザ端末機２５１が該当非活性化時間周期（すなわち、ＬＴＥ ＯＦＦ周期）によりＵＬ送信あるいは再送信のための該当フィードバックを受信しない場合、ユーザ端末機２５１は、該当フィードバックを肯定認知（positive Acknowledgment（ＡＣＫ））と考慮して、適応的再送信がＬＴＥモジュール２０２が該当活性化時間周期に進入した後、ｅＮＢ２５０から要求を受信する場合、ＵＬデータを再送信することを許可する。これとは異なり、ユーザ端末機２５１は、該当するフィードバックを否定認知（negative acknowledgment（ＮＡＣＫ））として考慮することができ、この場合、ユーザ端末機２５１はＬＴＥモジュール２０２が該当非活性化時間周期の次の活性化時間周期に進入した後、非適応的再送信あるいは適応的再送信を許可する。
【００２８】
もう一つの例で、ＬＴＥアクティビティが無線リンクモニターリング（Radio Link Monitoring:ＲＬＭ）手順と考慮するようにし、ＲＬＭ手順は単一ＤＲＸサイクルが複数個の活性化時間周期を含む場合、不連続受信（Discontinuous Reception:ＤＲＸ）サイクルの複数個の活性化時間周期の間に遂行される。すなわち、本発明は、複数個の小さなＯＮ時間及びＯＦＦ時間の新しいＤＲＸメカニズムを提供し、より一層長いＯＮあるいはＯＦＦ時間に従う。
【００２９】
図４は、本発明の実施形態を具現する多様なコンポーネント（component）を示すコーディネータ２０６のブロックダイアグラムを示している図である。図４で、コーディネータ２０６は、プロセッサ４０２と、メモリ４０４と、読み取り専用メモリ（Read Only memory:ＲＯＭ）４０６と、バス（bus）４１０と、通信インターフェース（communication interface）４０８と、を含む。
【００３０】
ここで使用される、プロセッサ４０２は、マイクロ・プロセッサ（microprocessor）と、マイクロ制御機（micro controller）と、複合命令語集合コンピュータマイクロ・プロセッサ（complex instruction set computing microprocessor）と、縮小命令語集合コンピュータマイクロ・プロセッサ（reduced instruction set computing microprocessor）と、長い命令語ワードマイクロ・プロセッサ（very long instruction word microprocessor）と、明白な並列命令語コンピュータマイクロ・プロセッサ（explicitly parallel instruction computing microprocessor）と、グラフィックプロセッサ（graphics processor）と、デジタル信号プロセッサ（digital signal processor）、あるいは所定タイプのプロセシング回路（processing circuit）のような、それにしてもそれらに限定されない任意のタイプのコンピュータ回路を意味する。また、プロセッサ４０２は、一般論理デバイス、あるいはプログラム可能論理デバイスと、あるいはアレイ（array）と、アプリケーション型半導体（application specific integrated circuit）と、単一チップコンピュータ（single-chip computer）と、スマートカード（smart card）などのような挿入された制御機を含むことができる。
【００３１】
メモリ４０４は、揮発性メモリ（volatile memory）及び不揮発性メモリ（non-volatile memory）であり得る。メモリ４０４は、図２及び図３に示されているような本発明の実施形態によって、ＬＴＥモジュール２０２とＩＳＭモジュール２０４との間のデバイス内部相互干渉をハンドリングするインターフェース管理モジュール４１２を含む。多様なコンピュータ判読可能記録媒体（computer-readable storage media）が上記メモリエレメント（memory element）に記録されることができ、上記メモリエレメントからアクセスされることができる。メモリエレメントは、読み取り専用メモリと、ランダムアクセスメモリ（random access memory）と、消去可能プログラム可能読み取り専用メモリ（erasable programmable read only memory）と、電気的消去可能プログラム可能読み取り専用メモリ（electrically erasable programmable read only memory）と、ハードドライブ（hard drive）と、メモリカード（memory card）を処理する除去可能メディアドライブ（removable media drive）と、メモリスティック（Memory Stick）ＴＭのようなデータ及びマシン判読可能命令（machine-readable instruction）を記録する、いずれの適合したメモリデバイスでも含むことができる。
【００３２】
本発明の多様な実施形態らは、タスク（task）を遂行するか、要約データタイプあるいはロウレベル（low-level）ハードウェアコンテクスト（hardware context）を定義するための、関数と、手順と、データ構造と、アプリケーションプログラム（application program）を含むモジュールと共に具現され得る。上述したような記録媒体に記録されたマシン判読可能命令語らは、プロセッサ４０２により実行され得る。例えば、本発明の教示及び本発明の上述したような実施形態らによって、コンピュータプログラムはＬＴＥモジュール２０２とＩＳＭモジュール２０４との間のデバイス内部相互干渉をハンドリングすることができるマシン判読可能命令語を含むことができる。一実施形態で、上記コンピュータプログラムは、記録媒体上に含まれることができ、上記記録媒体から不揮発性メモリのハードドライブにロードされることができる。
【００３３】
図５は、一実施形態によるＬＴＥモジュール２０２とブルートゥースモジュール２０４との間のデバイス内部相互干渉をハンドリングする望ましい方法を示すプロセスフローチャート（５００）である。ステップ５０２で、ＬＴＥモジュール２０２のアクティビティをスケジューリングするための半永続スケジューリング（semi-persistent scheduling:ＳＰＳ）パターン（pattern）がｅＮＢ２５０からユーザ端末機２５１により受信される。一般的に、ＬＴＥ音声呼び出し（voice call）は、半永続スケジューリング（ＳＰＳ）パターンに基づいてスケジューリングされる。ＳＰＳパターンで、相対的に固定されたＤＬ及びＵＬリソースが２０msごとに与えられる。ＵＬ及びＤＬサブフレームが固定されるＳＰＳが使用され、かなり長い時間の間にユーザ端末機２５１に知られる。ＳＰＳスケジューリングに基づいて、ユーザ端末機２５１は、ブルートゥースモジュール（例えば、ＩＳＭモジュール２０４）がどこで動作できるかを導出することができる。
【００３４】
したがって、ステップ５０４で、ブルートゥースモジュール２０４のアクティビティは、ＳＰＳパターンに基づいてＬＴＥモジュール２０２のアクティビティに合せて調整される。これはＳＰＳパターンが音声呼び出しをスケジューリングするのに使われる場合、どんな相互パターンもユーザ端末機２５１とｅＮＢ２５０との間に交換されることが要求されないということを保障する。したがって、ステップ５０６で、ＬＴＥモジュール２０２のＵＬ及びＤＬデータ送信／受信は、ＳＰＳパターンに基づいてユーザ端末機２５１とｅＮＢ２５０との間で遂行される。結果的に、ＬＴＥモジュール２０２とブルートゥースモジュール２０４のデバイス内部相互干渉が解決される。
【００３５】
また、ＶＯＩＰトラフィック（traffic）に対する再送信の必要性が存在する場合、ステップ５０８で、ＬＴＥモジュールと関連するＨＡＲＱプロセスの予め定義されている再送信情報はｅＮＢ２５０から受信される。これはパターンのテーブルあるいはｎ＋ｋサブフレームに対するビットマップ（bitmap）あるいはインデックス（index）のような、いくつかの方式を使用して達成されることができ、ここで、ｋは各ＴＤＤ構成及びＴＤＤ構成の特定サブフレームに対するテーブル形態で定義されることができる。ステップ５１０で、ＳＰＳパターンによる最大１個の新しい送信及び関連ＨＡＲＱプロセッサの１個の新しい送信は、上記予め定義されている再送信情報によって遂行される。２度目の再送信が遂行されるべき場合、ブルートゥースモジュール２０４は、ＬＴＥパケットの該当２度目の再送信を受け入れるためにＴｅＳＯＣ区間で一つ、あるいはその以上の送信機会をミス（miss）することに協議することができる。
【００３６】
図６は、ＬＴＥモジュール動作及び該当ブルートゥースモジュール動作に有用なスロットを示す時間ラインを示す概略図（６００）である。図示されているように、同期ポイント（synchronization point）は、ブルートゥースモジュール２０４がＬＴＥ無線フレームの開始に合せて調整するように存在する。該当時間ラインは、少なくとも３.７５ｍｓと２０ｍｓの公倍数である６０ｍｓで図示されている。
【００３７】
該当グレイＢＴスロットは、ＬＴＥ ＶＯＩＰデータとＡＣＫ／ＮＡＫを通信するのに使われる。ＴｅＳＯＣ区間ごとに少なくとも一つのブルートゥース送信及び受信機会（opportunity）が存在し、したがって６４Ｋｂｐｓデータレート（data rate）が維持され得ることが分かる。該当グレイＢＴスロットは、ブルートゥースモジュール２０４の動作に有用でなく、これに対してホワイＢＴスロットはブルートゥースモジュール２０４の動作に有用である。時々、２個あるいは３個の送信／受信機会がＴｅＳＯＣ区間ごとにブルートゥースモジュール２０４のために存在する。これはすべてのＴＤＤ構成に対して適用される。ＶＯＩＰトラフィックの再送信に対する必要性が存在する場合、最初の再送信は、該当初期送信以後の次の１０ｍｓフレームで予め定義されている再送信情報に基づいて遂行される。
【００３８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【００３９】
また、ここで説明される、上記多様なデバイスと、モジュール（module）と、選択器と、推定器などは活性化され得り、ハードウェア（hardware）回路、例えば相補性金属酸化膜半導体（complementary metal oxide semiconductor）基盤論理回路と、ファームウエアと、ソフトウェア及び／あるいはハードウェアと、ファームウエア及び／あるいはマシン判読可能媒体に挿入されたソフトウェアの組合のようなハードウェア回路を使用して可能となり、動作されることができる。例えば、上記多様な電気構造及び方法は、トランジスタ（transistor）と、論理ゲート（logic gate）と、アプリケーション型半導体（application specific integrated circuit）のような電気回路を使用して実施されることができる。
【符号の説明】
【００４０】
２００  無線通信システム
２０２  ＬＴＥモジュール
２０４  ＩＳＭモジュール
２０６  コーディネータ
２５０  基地局
２５１  ユーザ端末機
２５３  ネットワーク
４０２  プロセッサ
４０４  メモリ
４０６  ＲＯＭ
４０８  通信インターフェース
４１０  バス
４１２  インターフェース管理モジュール
【図１Ａ】
2013544049.tif 000003
【図１Ｂ】
2013544049.tif 000004
【図２】
2013544049.tif 000005
【図３】
2013544049.tif 000006
【図４】
2013544049.tif 000007
【図５】
2013544049.tif 000008
【図６】
2013544049.tif 000009
【国際調査報告】
2013544049.tif 000010
2013544049.tif 000011